【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
印刷中断要因の発生により印刷動作が中断された第１ジョブとは異なる第２ジョブの印刷動作を印刷装置により実行可能にした印刷システムであって、
前記第１ジョブの前記印刷中断要因が解除された場合に、前記第１ジョブの印刷動作の再開方法に係る複数の選択肢の中から何れかの選択肢に対応するユーザ要求を、ユーザインタフェース手段を介して、ユーザから受付可能にする、制御手段を有し、
前記制御手段は、
前記ユーザインタフェース手段を介して受付けたユーザ要求に応じた選択肢に対応する再開方法でもって、前記第１ジョブの印刷動作を前記印刷システムにより再開可能にすることを特徴とする印刷システム。
【請求項２】
印刷中断要因の発生により印刷動作が中断された第１ジョブとは異なる第２ジョブの印刷動作を印刷装置により実行可能にした印刷システムであって、
前記第１ジョブの前記印刷中断要因が解除された場合に、前記第１ジョブの印刷動作を前記第２ジョブの印刷動作の完了後に再開させる為のユーザ要求を、ユーザインタフェース手段を介して受付可能にする、制御手段を有し、
前記制御手段は、
前記ユーザインタフェース手段を介して前記ユーザ要求がなされた場合に、前記第１ジョブの印刷動作を、前記第２ジョブの印刷動作の完了後に、前記印刷システムにより、再開可能にすることを特徴とする印刷システム。
【請求項３】
印刷中断要因の発生により印刷動作が中断された第１ジョブとは異なる第２ジョブの印刷動作を印刷装置により実行可能にした印刷システムであって、
前記第１ジョブの前記印刷中断要因が解除された場合に、前記第１ジョブの印刷動作を前記第２ジョブの印刷動作の完了前に再開させる為のユーザ要求を、ユーザインタフェース手段を介して受付可能にする、制御手段を有し、
前記制御手段は、
前記ユーザインタフェース手段を介して前記ユーザ要求がなされた場合に、前記第１ジョブの印刷動作を、前記第２ジョブの印刷動作の完了前に、前記印刷システムにより、再開可能にすることを特徴とする印刷システム。
【請求項４】
印刷中断要因の発生により印刷動作が中断された第１ジョブとは異なる第２ジョブの印刷動作を印刷装置により実行可能にした印刷システムであって、
前記第２ジョブの印刷動作を実行中で且つ印刷待ち状態の第３ジョブが存在する場合で且つ前記第１ジョブの前記印刷中断要因が解除された場合に、
前記第１ジョブの印刷動作を前記印刷実行中の前記第２ジョブの印刷動作と前記印刷待ち状態の前記第３ジョブの印刷動作の両動作が完了した後に再開させる為のユーザ要求を、ユーザインタフェース手段を介して受付可能にする、制御手段を有し、
前記制御手段は、
前記ユーザインタフェース手段を介して前記ユーザ要求がなされた場合に、前記第１ジョブの印刷動作を、前記第２ジョブの印刷動作と前記第３ジョブの印刷動作の両動作が完了後に、前記印刷システムにより、再開可能にすることを特徴とする印刷システム。
【請求項５】
印刷中断要因の発生により印刷動作が中断された第１ジョブとは異なる第２ジョブの印刷動作を印刷装置により実行可能にした印刷システムであって、
前記第２ジョブの印刷動作の実行中に前記第１ジョブの前記印刷中断要因が解除された場合に、
前記第１ジョブの印刷動作を前記第２ジョブの印刷動作の完了後に再開させる為の第１のユーザ要求、及び、
前記第１ジョブの印刷動作を前記第２ジョブの印刷動作の完了前に再開させる為の第２のユーザ要求、
を含む、複数のユーザ要求のうちのいずれかのユーザ要求を、ユーザインタフェース手段を介して受付可能にする、制御手段を有し、
前記制御手段は、
前記ユーザインタフェース手段を介して前記第２のユーザ要求がなされずに前記第１のユーザ要求がなされた場合に、前記中断対象の第１ジョブの印刷動作を、前記第２ジョブの印刷動作の完了後に、前記印刷システムにより、再開させ、
且つ、前記制御手段は、
前記ユーザインタフェース手段を介して前記第１のユーザ要求がなされずに前記第２のユーザ要求がなされた場合に、前記中断対象の第１ジョブの印刷動作を、前記第２ジョブの印刷動作の完了前に、前記印刷システムにより、再開させることを特徴とする印刷システム。
【請求項６】
印刷中断要因の発生により印刷動作が中断された第１ジョブとは異なる第２ジョブの印刷動作を印刷装置により実行可能にした印刷システムであって、
前記第２ジョブの印刷動作の実行中で且つ印刷待ち状態の第３ジョブが存在する場合で且つ前記第１ジョブの前記印刷中断要因が解除された場合に、
前記第１ジョブの印刷動作を前記印刷実行中の第２ジョブの印刷動作の完了後で且つ前記印刷待ち状態の前記第３ジョブの印刷動作の開始前に再開させる第１のユーザ要求、及び、
前記第１ジョブの印刷動作を前記印刷実行中の前記第２ジョブの印刷動作の完了前に再開させる第２のユーザ要求、及び、
前記第１ジョブの印刷動作を前記印刷実行中の第２ジョブの印刷動作の完了後で且つ前記印刷待ち状態の前記第３ジョブの印刷動作の完了後に再開させる第３のユーザ要求を含む、
複数のユーザ要求のうちの、いずれかのユーザ要求を、ユーザインタフェース手段を介して受付可能にする、制御手段を有し、
前記制御手段は、
前記ユーザインタフェース手段を介して前記複数のユーザ要求のうちの前記第１のユーザ要求がなされた場合に、前記第１ジョブの印刷動作を、前記印刷実行中の第２ジョブの印刷動作の完了後で且つ前記印刷待ち状態の前記第３ジョブの印刷動作の開始前に、前記印刷システムにより、再開させ、
且つ、前記制御手段は、
前記ユーザインタフェース手段を介して前記複数のユーザ要求のうちの前記第２のユーザ要求がなされた場合に、前記第１ジョブの印刷動作を、前記印刷実行中の前記第２ジョブの印刷動作の完了前に、前記印刷システムにより、再開させ、
且つ、前記制御手段は、
前記ユーザインタフェース手段を介して前記複数のユーザ要求のうちの前記第３のユーザ要求がなされた場合に、前記第１ジョブの印刷動作を、前記印刷実行中の第２ジョブの印刷動作の完了後で且つ前記印刷待ち状態の前記第３ジョブの印刷動作の完了後に、前記印刷システムにより、再開させることを特徴とする印刷システム。
【請求項７】
前記制御手段は、
前記第１ジョブの印刷動作を再開させるタイミングを特定させる為の複数の選択肢のうちの、ユーザにより選択可能なユーザ要求に相当する選択肢を、前記ユーザインタフェース手段を介して、ユーザにより選択可能にする、ことを特徴とする請求項１乃至６の何れか一項に記載の印刷システム。
【請求項８】
前記制御手段は、
印刷待ち状態のジョブが複数存在する場合に、前記印刷中断要因の発生により印刷動作が中断された前記第１ジョブの印刷動作を再開させるタイミングを、前記複数の印刷待ち状態のジョブの印刷動作タイミングとの関連を含めて、前記ユーザインタフェース手段を介して、ユーザにより特定可能にする、ことを特徴とする請求項１乃至７の何れか一項に記載の印刷システム。
【請求項９】
前記制御手段は、
前記印刷中断要因の発生により印刷動作が中断された前記第１ジョブの印刷動作を再開させるタイミングを特定させる為の複数の選択肢のうちの、ユーザにより選択可能なユーザ要求に相当する選択肢を、前記ユーザインタフェース手段を介して、ユーザにより選択可能にし、
且つ、前記制御手段は、
前記複数のユーザ要求のうちの実行不可のユーザ要求に相当する選択肢は前記ユーザインタフェース手段を介して、ユーザにより選択不可にする、ことを特徴とすることを特徴とする請求項１乃至８の何れか一項に記載の印刷システム。
【請求項１０】
前記制御手段は、
前記第１ジョブの印刷動作を再開させるタイミングを特定させる為の複数の選択肢のうちの、ユーザにより選択可能なユーザ要求に相当する選択肢を、前記ユーザインタフェース手段を介してユーザにより選択可能にし、
且つ、前記制御手段は、
ユーザにより選択可能な選択肢が１つしかない場合に、前記ユーザインタフェースを介してユーザ要求を受付けること無しに、自動的に、前記第１ジョブの印刷動作を、前記第２ジョブの印刷動作の完了後に、前記印刷システムにより、再開可能にすることを特徴とする請求項１乃至９の何れか一項に記載の印刷システム。
【請求項１１】
前記印刷システムは、
前記ユーザ要求を、前記印刷装置が具備するユーザインタフェース手段及び前記印刷装置とデータ通信可能な外部装置が具備するユーザインタフェース手段の何れかを介して、受付けることを特徴とする請求項１乃至１０の何れか一項に記載の印刷システム。
【請求項１２】
前記印刷システムは、
原稿読取手段からのジョブの印刷データ及び前記印刷装置とデータ通信可能なコンピュータからのジョブの印刷データのうちの何れかの印刷データを、複数のジョブの印刷データを保持可能な記憶手段を介して、前記印刷装置により印刷可能にした印刷システムであることを特徴とする請求項１乃至１１の何れか一項に記載の印刷システム。
【請求項１３】
前記印刷システムは、
前記第１ジョブの印刷実行中に、前記印刷中断要因として、前記印刷装置におけるエラーが発生した場合に、前記第１ジョブの印刷動作を停止させ、且つ、前記第１ジョブの印刷中断期間中に、前記第２ジョブの印刷動作を前記印刷システムにより実行可能にする、ことを特徴とする請求項１乃至１２の何れか一項に記載の印刷システム。
【請求項１４】
前記印刷システムは、
前記第１ジョブの印刷実行中に、前記印刷中断要因として、ユーザからの印刷動作を停止させる為のユーザ要求が前記ユーザインタフェース手段を介してなされた場合に、前記第１ジョブの印刷動作を停止させ、且つ、前記第１ジョブの印刷中断期間中に、前記第２ジョブの印刷動作を前記印刷システムにより実行可能にすることを特徴とする請求項１乃至１３の何れか一項に記載の印刷システム。
【請求項１５】
前記印刷システムは、
前記第１ジョブの印刷実行中に、前記印刷中断要因として、前記印刷装置が具備する原稿読取手段におけるエラー、及び、処理対象となるジョブの印刷動作に要するシートに関わるエラーの、少なくともいずれかの種類の印刷中断要因が発生した場合に、前記第１ジョブの印刷動作を停止させ、且つ、前記第１ジョブの印刷中断期間中に、前記第２ジョブの印刷動作を前記印刷システムにより実行可能にすることを特徴とする請求項１乃至１４の何れか一項に記載の印刷システム。
【請求項１６】
前記制御手段は、
前記第１ジョブの前記印刷中断要因が解除された場合で且つ前記第２ジョブが特定種類のフィニッシングを要するジョブである場合に、前記第１ジョブの印刷動作を、前記第２ジョブの印刷動作の完了前に、前記印刷システムにより、再開可能にし、
且つ、前記制御手段は、
前記第１ジョブの前記印刷中断要因が解除された場合で且つ前記第２ジョブが前記特定種類のフィニッシングを不要なジョブである場合に、前記第１ジョブの印刷動作を、前記第２ジョブの印刷動作の完了後に、前記印刷システムにより、再開可能にする、ことを特徴とする請求項１乃至１５の何れか一項に記載の印刷システム。
【請求項１７】
前記制御手段は、
前記印刷中断要因の発生を契機に印刷動作を中断させた前記第１ジョブの前記印刷中断要因に関係なく印刷動作が実行可能な前記第２ジョブの印刷動作を、前記第１ジョブの中断期間中に、実行可能にし、
且つ、前記制御手段は、
前記第２ジョブの印刷実行中に前記第１ジョブの前記印刷中断要因が解除された場合に、前記ユーザ要求を受付可能にする特定の表示を前記ユーザインタフェース手段により実行させる事を許可する、ことを特徴とする請求項１乃至１６の何れか一項に記載の印刷システム。
【請求項１８】
前記制御手段は、
前記印刷中断要因の発生を契機に印刷動作を中断させた前記第１ジョブの前記印刷中断要因に関係なく印刷動作が実行可能な前記第２ジョブの印刷動作を、前記中断対象のジョブの中断期間中に、前記印刷システムにより、実行可能にし、
且つ、前記制御手段は、
前記第２ジョブの印刷実行中に前記第１ジョブの前記印刷中断要因が解除された場合に、前記ユーザ要求を受付可能にする特定の表示を前記ユーザインタフェース手段により実行させる事を許可し、
且つ、前記制御手段は、
前記ユーザインタフェース手段による前記特定の表示を実行させた場合でも、前記ユーザ要求をユーザから受付ける迄の特定期間中は、少なくとも、前記印刷実行中の前記第２ジョブの印刷動作を前記印刷システムにより継続させることを特徴とする請求項１乃至１７の何れか一項に記載の印刷システム。
【請求項１９】
前記制御手段は、
前記印刷中断要因の発生を契機に印刷動作を中断させた前記第１ジョブの前記印刷中断要因に関係なく印刷動作が実行可能な前記第２ジョブの印刷動作を、前記第１ジョブの中断期間中に、前記印刷システムにより、実行可能にし、
且つ、前記制御手段は、
前記第２ジョブの印刷実行中に前記第１ジョブの前記印刷中断要因が解除された場合に、前記ユーザ要求を受付可能にする特定の表示を前記ユーザインタフェース手段により実行させる事を許可し、
且つ、前記制御手段は、
前記ユーザインタフェース手段による前記特定の表示を実行させて特定期間経過しても前記ユーザ要求がユーザからなされない場合に、
前記第１ジョブの印刷動作を、前記第２ジョブの印刷動作の完了後に自動的に前記印刷システムにより再開させることを特徴とする請求項１乃至１８の何れか一項に記載の印刷システム。
【請求項２０】
前記制御手段は、
前記印刷中断要因の発生を契機に印刷動作を中断させた前記第１ジョブの前記印刷中断要因に関係なく印刷動作が実行可能な前記第２ジョブの印刷動作を、前記中断対象のジョブの中断期間中に、前記印刷システムにより、実行可能にし、
且つ、前記制御手段は、
前記第２ジョブの印刷実行中に前記第１ジョブの前記印刷中断要因が解除された場合に、前記ユーザ要求を受付可能にする特定の表示を前記ユーザインタフェース手段により実行させる事を許可し、
且つ、前記制御手段は、
前記第１ジョブの前記印刷中断要因が解除された場合で且つ前記第２ジョブが特定種類のフィニッシングを要するジョブである場合に、
前記特定の表示を介してユーザから受付けたユーザ要求に従い、前記第１ジョブの印刷動作を、前記第２ジョブの印刷動作の完了前に、前記印刷システムにより、再開させ、
且つ、前記制御手段は、
前記第１ジョブの前記印刷中断要因が解除された場合で且つ前記第２ジョブが前記特定種類のフィニッシングを不要なジョブである場合に、前記特定の表示を介して前記ユーザ要求をユーザから受付ける事無しに、前記第１ジョブの印刷動作を、前記第２ジョブの印刷動作の完了後に、自動的に、前記印刷システムにより、再開可能にすることを特徴とする請求項１乃至１９の何れか一項に記載の印刷システム。